(57)【要約】【課題】回転パンチブラシモジュールを提供する。【解決手段】回転パンチブラシモジュールを開示する。本発明の一実施形態に係る回転パンチブラシモジュールは、一方向に長さを有するように長く形成されて殺菌可能な光を照射する殺菌ランプと、該殺菌ランプの長手方向と同一方向に長く形成され、中央には前記殺菌ランプが挿入される中孔を形成して回転モータと機構的に連結され、前記回転モータの駆動により回転するシャフトと、該シャフトの長手方向に長さを有し、前記シャフトの外側に円周方向に沿って複数個が互いに離隔するように放射状に配置される回転ブラシと、を含む。【選択図】図１
2018038774.tif 000002
【特許請求の範囲】
【請求項１】
一方向に長さを有するように長く形成され、殺菌可能な光を照射する殺菌ランプと、
前記殺菌ランプの長手方向と同一方向に長く形成され、中央には前記殺菌ランプが挿入される中孔が形成され、回転モータと機構的に連結されて前記回転モータの駆動により回転するシャフトと、
前記シャフトの長手方向に長さを有し、前記シャフトに結合され、前記シャフトの外側に円周方向に沿って複数個が互いに離隔するように放射状に配置される回転ブラシと、
を含むことを特徴とする回転パンチブラシモジュール。
【請求項２】
前記シャフトには、
前記殺菌ランプの光が外部に露出できるように貫通孔が形成されることを特徴とする、請求項１に記載の回転パンチブラシモジュール。
【請求項３】
前記貫通孔は、
相互に隣接するように配置された前記回転ブラシ間に形成され、前記シャフトの長手方向に長く形成されることを特徴とする、請求項２に記載の回転パンチブラシモジュール。
【請求項４】
前記シャフトには前記回転ブラシの一部が挿入される複数の結合溝が前記シャフトの長手方向に沿って長く形成され、前記回転ブラシには前記結合溝に挿入される結合部が形成されることを特徴とする、請求項１に記載の回転パンチブラシモジュール。
【請求項５】
前記結合部は、
前記回転ブラシの一端に両側に拡張した形状であって、前記回転ブラシの長手方向に沿って長く形成され、前記結合溝は一端が開放され、前記回転ブラシの一端を前記結合溝の開口された部分に挿入して前記シャフトの長手方向に押し入れることで、前記シャフトと前記回転ブラシとを結合することを特徴とする、請求項４に記載の回転パンチブラシモジュール。
【請求項６】
前記回転ブラシは、
弾性を有する材質で形成され、前記シャフト断面の半径外側方向に所定高さを有することを特徴とする、請求項１に記載の回転パンチブラシモジュール。
【請求項７】
前記回転ブラシは、
回転により掃除対象面を打撃して、前記掃除対象面から汚染物質を分離させることを特徴とする、請求項１に記載の回転パンチブラシモジュール。
【請求項８】
前記殺菌ランプから照射される光は紫外線であることを特徴とする、請求項１に記載の回転パンチブラシモジュール。
【請求項９】
前記殺菌ランプと前記シャフトとは互いに離隔されて前記殺菌ランプは固定された状態で前記シャフトだけが回転することを特徴とする、請求項１に記載の回転パンチブラシモジュール。
【発明の詳細な説明】
【技術分野】
【０００１】
本発明は、回転パンチブラシモジュールに関し、より詳細には、回転ブラシの内部に殺菌ランプが装着されて１つのモジュールを形成する回転パンチブラシモジュール（Ｃｌｅａｎｅｒ  Ｈｅａｄ  Ｈａｖｉｎｇ  Ｐｕｎｃｈ  Ｂｒｕｓｈ  Ｍｏｄｕｌｅ）に関する。
【背景技術】
【０００２】
一般に真空掃除機は、強力な振動回転モータで本体内部を真空の状態とし、本体の下端一側に設けられた吸入口に作用する真空吸入力を介して各種異物を本体内部に吸入していてもよい構造からなる。
【０００３】
ここで、真空吸入力が作用する本体の吸入口は、掃除する部位の与件によって埃などの異物をより効果的に吸入できる多様な形態の構造からなる。
【０００４】
従来の真空掃除機は、寝具類またはクッション材のベッドシートなどのように埃などの異物が深くめり込んでいる場合には、強制的に払い落さない限り、従来の真空掃除機では吸入力が弱くてまともに吸入することができず、表面についている異物だけを吸入することになって、清潔に掃除できないという問題点がある。
【０００５】
上記の問題点を解決するために真空掃除機の吸入口上に別の振動回転モータを設けた振動方式の真空掃除機が開発されている。
【０００６】
このような振動方式の真空掃除機は、振動回転モータの駆動力により機械的に振動を発生させて寝具類または自動車シートなどの底を振動させる。これにより、寝具類またはベッドシート内に深くめり込んでいた異物が離脱されて真空掃除機の内部に吸入することができる。
【０００７】
このような振動方式の真空掃除機は、通常偏心カムの原理を利用して振動を発生させる真空掃除機または吸入空気の流れに応じて振動部材の上下運動により振動を発生させる。
【０００８】
上記の従来振動方式の真空掃除機は、振動力が一定でないために不安定である短所を有する。さらに、吸入口内に別の振動回転モータを設ける空間が不足し、吸入口の体積を大きく形成しければならない。
【０００９】
また、別途の寝具類に棲息するダニまたは細菌などの各種有害生物体を殺菌できないという問題点がある。
【００１０】
上記ダニは大部分０．４〜１ｍｍの長さを有する。特に家庭に主に棲息するのは家埃ダニであって、繊維中に寄生し、人の肌の角質などを栄養源として棲息している。
【００１１】
上記ダニから発生する排泄物や斜体から排出する微細なグアニン性有害蛋白は非常に重要なアレルギー原因物質であって人体内に吸入されると、アレルギー性鼻炎、喘息を発症させ、肌に接触されるとアトピー皮膚炎など各種アレルギー性皮膚炎を発症させる。このような理由により最近には寝具類またはベッドシートなどに棲息するダニを除去する必要性が出てきた。
【先行技術文献】
【特許文献】
【００１２】
【特許文献１】韓国特許公報第１０−１６０４７９８号
【特許文献２】韓国公開実用新案公報実２００１−０００１３４５号
【発明の概要】
【発明が解決しようとする課題】
【００１３】
本発明は、上記の従来の問題点を解決するために案出されたものであって、本発明の目的は以下の通りである。
【００１４】
第一、本発明は、ダニや有害細菌が殺菌できる回転パンチブラシモジュールを提供することにある。
【００１５】
第二、本発明は、体積の小型化が実現できる回転パンチブラシモジュールを提供することにある。
【００１６】
本発明の課題は、上記課題に限定されず、言及しないまた他の課題も以下の記載から当業者に明確に理解させることができる。
【課題を解決するための手段】
【００１７】
上記目的を達成するための本発明の一実施形態に係る回転パンチブラシモジュールは、殺菌ランプ、シャフト及び回転ブラシを含む。
【００１８】
前記殺菌ランプは、一方向に長さを有するように長く形成され、殺菌可能な光を照射する。
【００１９】
前記シャフトは、前記殺菌ランプの長手方向と同一方向に長く形成される。前記シャフトの中央には、前記殺菌ランプが挿入される中孔が形成される。そして、前記シャフトは、回転モータと機構的に連結されて前記回転モータの駆動によって回転される。
【００２０】
前記回転ブラシは、前記シャフトの長手方向に長さを有していて、前記シャフトの外側に円周方向に沿って複数個が互いに離隔するように放射状に配置される。
【００２１】
前記シャフトには、前記殺菌ランプの光が外部に露出できるように貫通孔が形成されていてもよい。
【００２２】
ここで、前記貫通孔は相互隣接に配置された前記回転ブラシとの間に形成され、前記シャフトの長手方向に長く形成していてもよい。
【００２３】
また、前記シャフトには、前記回転ブラシの一部が挿入される複数の結合溝が前記シャフトの長手方向に沿って長く形成していてもよい。そして、前記回転ブラシには、前記結合溝に挿入される結合部が形成されていてもよい。
【００２４】
前記結合部は、前記回転ブラシの一端に両側に拡張した形状であって、前記回転ブラシの長手方向に沿って長く形成していてもよい。そして、前記結合溝は一端が開放されていてもよい。
【００２５】
これにより、前記回転ブラシの一端を前記結合溝の開口した部分に挿入した後、前記回転ブラシを前記シャフトの長手方向に押し入れることで前記シャフトと前記回転ブラシを結合していてもよい。
【００２６】
前記回転ブラシは、弾性を有する材質で形成され、前記シャフト断面の半径外側方向に所定高さを有していてもよい。
【００２７】
これにより、前記回転ブラシは、回転により掃除対象面を打撃して前記掃除対象面から汚染物質を分離させる。
【００２８】
一方、前記殺菌ランプから照射される光は紫外線であってもよい。
【００２９】
また、前記殺菌ランプと前記シャフトとは互いに離隔されて、前記殺菌ランプが固定された状態で前記シャフトだけが回転していてもよい。
【発明の効果】
【００３０】
次に、上記のように構成された本発明の効果について説明する。
【００３１】
第一に、本発明の一実施形態に係る回転パンチブラシモジュールによれば、殺菌可能な光を照射する殺菌ランプが備えられて、ダニや有害細菌を殺菌することができる。
【００３２】
第二に、本発明の一実施形態に係る回転パンチブラシモジュールによれば、回転ブラシが設けられて回転するシャフトに形成された中孔に殺菌ランプが挿入されて一体に形成されることで、回転ブラシと殺菌ランプとがそれぞれ設けられたものと比べて小型化が可能であるという長所がある。
【００３３】
本発明の効果は、以上に言及した効果に制限されず、言及しないまた他の効果は請求範囲の記載から当業者が明確に理解することができる。
【００３４】
以下に説明する本出願の好適な実施形態の詳細な説明のみでなく、上記に説明した要約内容は、添付図面を参照することでより理解し易くなるであろう。本発明を例示するための目的として図面には好適な実施形態が図示されている。しかし、本出願は図示の正確な配置と手段に限定されるものでないことを理解しなければならない。
【図面の簡単な説明】
【００３５】
【図１】本発明の一実施形態に係る回転パンチブラシモジュールを示す分解斜視図である。
【図２】本発明の一実施形態に係る回転パンチブラシモジュールが組立された状態を示す正面図である。
【図３】本発明の一実施形態に係る回転パンチブラシモジュールが掃除機の一部に適用された状態を示す分解斜視図である
【図４】本発明の一実施形態に係る回転パンチブラシモジュールが掃除機の一部に適用された状態を示す斜視図である。
【図５】従来のハンディ型掃除機を概略的に示す図である。
【発明を実施するための形態】
【００３６】
以下、本発明の実施形態に対して添付図面を参照しながら詳細に説明する。ただし、添付図面は本発明の内容をより理解易しく開示するために説明したものにならず、本発明の範囲が添付図面の範囲によって限定されないことは、この技術分野の通常の知識を有する者であれば、容易に理解することができる。
【００３７】
そして、本発明の実施形態の説明において、同一機能を有する構造要素に対しては同一名称及び同一符号を用いるだけであって、実質的には従来技術の構造要素と完全に同一ではないことを予め明らかにする。
【００３８】
また、本出願で用いる用語は、単に特定の実施形態を説明するために用いられ、本発明を限定しようとする意図ではない。単数の表現は、文脈上に明白にその意味でない限り複数の表現を含む。本出願において、「含む」または「有する」などの用語は、明細書上に記載した特徴、数字、段階、動作、構造要素、部品またはこれらを組み合わせたものが存在することを指定するものであって、１つまたはその以上の他の特徴や数字、段階、動作、構造要素、部品またはこれらを組み合わせたものなどの存在または付加可能性を予め排除しないものとして理解しなければならない。
【００３９】
以下、図面を参照しながら本発明の一実施形態に係る回転パンチブラシモジュールについて説明する。
【００４０】
図１は、本発明の一実施形態に係る回転パンチブラシモジュールを示す分解斜視図であり、図２は本発明の一実施形態に係る回転パンチブラシモジュールが組立された状態を示す正面図である。
【００４１】
本発明の一実施形態に係る回転パンチブラシモジュール１００は、掃除機ヘッドまたはハンディ型掃除機本体に適用されていてもよい。
【００４２】
図１に示すように、本実施形態の回転パンチブラシモジュール１００は、殺菌ランプ１１０、シャフト１２０、及び回転ブラシ１３０を含む。
【００４３】
殺菌ランプ１１０は、一方向に長さを有するようにシリンダ形状に長く形成され、細菌及び微生物を殺菌可能な光を照射する。
【００４４】
ここで、殺菌可能な光としては、陽光の１、６００倍程度の殺菌力で有害物質を効果的に除去できる紫外線が適用されていてもよい。しかし、本実施形態において、殺菌ランプ１１０から照射される光は紫外線に限定されず、細菌及び微生物を殺菌できるものであれば、いずれも適用され得る。
【００４５】
そして、殺菌ランプ１１０の少なくとも一側には、外部から電力を受けることができる端子１１２が形成されていてもよい。本実施形態の図面には、端子１１２が殺菌ランプ１１０の両側に形成されている例を示したが、端子１１２は殺菌ランプ１１０の一側だけに形成されていてもよい。
【００４６】
シャフト１２０は、殺菌ランプ１１０の長手方向と同一方向に長く形成され、シャフト１２０の中央には、殺菌ランプ１１０が挿入される中孔が形成される。そして、シャフト１２０は、シャフト１２０の中心軸線を中心として回転する。
【００４７】
そのために、後述するハウジング部２００の内部には、シャフト１２０と機構的に連結されてシャフト１２０に回転力を提供する回転モータ１４０が備えられていてもよい。また、シャフト１２０と回転モータ１４０との間には、回転モータ１４０とシャフト１２０とを機構的に連結する回転連結部２２８が配置されていてもよい。
【００４８】
ここで、殺菌ランプ１１０とシャフト１２０とは、互いに離隔されていてもよい。すなわち、殺菌ランプ１１０とシャフト１２０とは、互いに結合されない状態で回転モータ１４０が駆動されると、殺菌ランプ１１０は固定された状態でシャフト１２０だけ独立的に回転することができる。
【００４９】
また、シャフト１２０には、殺菌ランプ１１０の光が外部に露出できるように貫通孔１２２が形成されていてもよい。貫通孔１２２は、相互隣接するように配置された回転ブラシ１３０の間に形成され、シャフト１２０の長手方向に長く形成されていてもよい。
【００５０】
これにより、シャフト１２０が回転しても、貫通孔１２２を介して紫外線が外部に照射されて掃除対象面及び掃除対象面から分離された汚染物質に存在する微生物及び細菌を殺菌することができる。
【００５１】
一方、本実施形態の回転ブラシ１３０は、シャフト１２０に結合されてシャフト１２０の回転により一緒に回転し、掃除対象面を打撃することで掃除対象面から埃を起こしながら掃除対象面を掃く役割をする。回転ブラシ１３０は、シャフト１２０の長手方向に長さを有し、シャフト１２０の外側に円周方向に沿って複数個が互いに離隔するように放射状に配置されていてもよい。
【００５２】
回転ブラシ１３０の材質としては、ゴムやシリコンなどのフレキシブルな材質が適用されていてもよい。しかし、回転ブラシ１３０の材質は上述に限定されず、回転により掃除対象面を打撃して埃を起こすことができれば、いずれの材質で形成してもよい。
【００５３】
シャフト１２０には、回転ブラシ１３０との結合のために回転ブラシ１３０の一部が挿入される複数の結合溝１２４が前記シャフト１２０の長手方向に沿って長く形成されていてもよい。そして、回転ブラシ１３０には、結合溝１２４に挿入される結合部１３２が形成されていてもよい。
【００５４】
結合部１３２は、回転ブラシ１３０の一端に両側に拡張された形状を有していてもよい。そして、前記回転ブラシ１３０の長手方向に沿って長く形成されていてもよい。
【００５５】
また、結合溝１２４は、結合部１３２と対応する形状を有し、一端が開放されていてもよい。これにより、回転ブラシ１３０の一端を結合溝１２４の開口された部分に挿入した後、回転ブラシ１３０をシャフト１２０の長手方向に押し入れることで、シャフト１２０と回転ブラシ１３０とを結合することができる。
【００５６】
このように、回転ブラシ１３０がシャフト１２０に着脱可能に構成されることで、長年の使用によって回転ブラシ１３０が損傷された場合でも、回転パンチブラシモジュール１００の全体を交換せず、損傷された回転ブラシ１３０だけを分離して部分的な交替及び修理が可能であるので、全般的な維持、補修コストを節減することができる。
【００５７】
図３は、本発明の一実施形態に係る回転パンチブラシモジュールが掃除機の一部に適用された状態を示す分解斜視図であり、図４は、本発明の一実施形態に係る回転パンチブラシモジュールが掃除機の一部に適用された状態を示す斜視図である。
【００５８】
図３及び図４に示すように、本実施形態の回転パンチブラシモジュール１００を含む掃除機または掃除機ヘッドは外観を形成し、内部に上述の回転パンチブラシモジュール１００が配置されるハウジング部２００を含むことができる。
【００５９】
ハウジング部２００は大きく分けて、下部ハウジング２１０、上部ケーシング（図示せず）及び側部ハウジング２２０を含むことができる。
【００６０】
図面上には見えないが、下部ハウジング２１０には、回転パンチブラシモジュール１００が外部に露出される露出孔（図示せず）が形成されていてもよい。そして、下部ハウジング２１０には、回転パンチブラシモジュール１００の離脱を防止するためのグリル２１４が露出孔を覆うように設けられていてもよい。
【００６１】
下部ハウジング２１０には、掃除機の吸入流路と連通されて空気及び汚染物質が掃除機本体の内部に吸入される吸入口（図示せず）が形成されていてもよい。
【００６２】
また、ハウジング部２００の内部には、回転ブラシ１３０を覆うように下部ハウジング２１０の上面にブラシ蓋２１６が設けられていてもよい。ブラシ蓋２１６が備えられることで、回転ブラシ１３０により飛散された汚染物質及び回転ブラシ１３０に付着した汚染物質が、ハウジング部２００の内部に浸透されることを防止することができる。
【００６３】
上部ケーシング（図示せず）は、下部ハウジング２１０の上部で下部ハウジング２１０と結合されていてもよい。そして、上部ケーシング（図示せず）は回転パンチブラシモジュール１００及びハウジング部２００内部に備えられた構造要素をカバーする役割をすることができる。
【００６４】
側部ハウジング２２０は、一側に上部ハウジング（図示せず）と下部ハウジング２１０とを結合することができる。さらに、側部ハウジング２２０には、殺菌ランプ１１０の端子１１２と結合されて殺菌ランプ１１０に電力を供給するソケット２２２、２２４が備えられていてもよい。ソケット２２２、２２４は側部ハウジング２２０に固定されて回転しない。すなわち、殺菌ランプ１１０は回転しない。
【００６５】
本実施形態では、殺菌ランプ１１０の両側に連結されるソケット２２２、２２４のうちの１つはハウジング部２００に固定され、残りの１つは脱着式に備えられていてもよい。以下、ハウジング部２００に固定されるソケットを第１ソケット２２２、脱着式に備えられるソケットを第２ソケット２２４と称する。
【００６６】
第２ソケット２２４は、ソケットカバー２２６と結合されていてもよい。ソケットカバー２２６は、側部ハウジング２２０の反対側で上部ハウジング（図示せず）と下部ハウジング２１０とを結合していてもよい。それと同時に、第２ソケット２２４と結合されたソケットカバー２２６は、第２ソケット２２４が外部に露出されることを防止し、第２ソケット２２４と結合された殺菌ランプ１１０とハウジング部２００を固定する役割をすることができる。また、下部ハウジング２１０には、第２ソケット２２４を支持するためのソケット支持部２１８が配置されていてもよい。
【００６７】
側部ハウジング２２０には、上述の回転連結部２２８が側部ハウジング２２０に対して回転可能に結合されていてもよい。回転連結部２２８は、第１ソケット２２２の外側を覆うように配置されるが、第１ソケット２２２とは結合されない。よって、回転モータ１４０は回転連結部２２８だけを回転させることができる。これにより、殺菌ランプ１１０は回転せず、殺菌ランプ１１０の外側に配置されたシャフト１２０だけが回転することができる。
【００６８】
以上、本発明の一実施形態に係る回転パンチブラシモジュール１００を含む掃除機について説明する。
【００６９】
このように構成される本実施形態の回転パンチブラシモジュール１００は、回転モータ１４０の駆動により回転モータ１４０と機構的に連結されたシャフト１２０が回転し、シャフト１２０の回転によりシャフト１２０に結合された複数の回転ブラシ１３０が掃除対象面を打撃することができる。回転ブラシ１３０が掃除対象面を打撃する瞬間に、回転ブラシ１３０の打撃力により掃除対象面に付着した各種汚染物質、例えば、埃、微細埃、黄砂物質、細菌、害虫などが分離される。
【００７０】
そして、回転ブラシ１３０の持続的な回転により汚染物質が掃かれて吸入口（図示せず）側に移動することができる。
【００７１】
それと同時に、殺菌ランプ１１０から照射される紫外線が貫通孔１２２を通過して掃除対象面に到達することで、掃除対象面に存在する微生物、害虫、細菌などの殺菌が行われる。また、掃除機内部に吸入される汚染物質にも紫外線が照射されて、そこに含まれた微生物、害虫、細菌なども殺菌が行われる。
【００７２】
これにより、掃除対象面の殺菌は勿論であって、吸入口（図示せず）周辺に細菌や害虫などが付着及び繁殖することを防止することができる。
【００７３】
図５は、従来のハンディ型掃除機を概略的に示す図である。
【００７４】
図５は、ハンディ型寝具用掃除機を例示したものであって、図５に示すように、従来のハンディ型寝具用掃除機には、有害物質を検出する検出部４０、掃除対象面を打撃して掃除対象面から汚染物質を分離させる打撃部３０、掃除対象面に付着した汚染物質を掃き出すブラシ１０及び汚染物質に含まれた各種害虫、細菌などを殺菌する紫外線ランプ２０が配置される。しかしながら、図５に示すように、従来の掃除機には、ブラシ１０と紫外線ランプ２０がそれぞれ配置されることになる。そのため、掃除機の体積が非常に大きくなる短所があった。
【００７５】
一方、本実施形態の回転パンチブラシモジュール１００によると、殺菌ランプ１１０がシャフト１２０内に配置されることで、従来と同一機能を有しながら掃除機または掃除機ヘッドが小型化できる長所がある。
【００７６】
このような本発明の一実施形態に係る回転パンチブラシモジュール１００は、一般的な真空掃除機の掃除機ヘッドに適用することができ、ハンディ型掃除機に適用することもでき、寝具専用掃除機にも適用することができる。
【００７７】
本実施形態の回転パンチブラシモジュール１００が設けられた掃除機ヘッドが一般的な真空掃除機に適用される場合には、交替型ヘッドとして提供され得る。
【００７８】
さらに、本実施形態の回転パンチブラシモジュール１００が小型のハンディ型掃除機に適用される場合には、ハウジング部２００の内部に 回転モータ１４０及びフィルターなどが備えられ得る。
【００７９】
以上のように、本発明に係る好適な実施形態について記載し、上述の実施形態以外にも本発明がその主旨や範疇から逸脱することなく、他の特定形態に具体化できるという事実は、当該技術に通常の知識を有する者であれば自明なものである。したがって、上述の実施形態は制限的でなく、例示的なものとして認識し、これにより本発明が上述の説明に限定されず、添付の特許請求の範疇及びその同等範囲内において変更され得る。
【符号の説明】
【００８０】
１０  ブラシ
２０  紫外線ランプ
１００  回転パンチブラシモジュール
１１０  殺菌ランプ
１１２  端子
１２０  シャフト
１２２  貫通孔
１２５  結合溝
１３０  回転ブラシ
１３２  結合部
１４０  回転モータ
２００  ハウジング部
２１０  下部ハウジング
２１４  グリル
２１６  ブラシ蓋
２１８  ソケット支持部
２２０  側部ハウジング
２２２  第１ソケット
２２４  第２ソケット
２２６  ソケットカバー
２２８  回転連結部
【図１】
2018038774.tif 000003
【図２】
2018038774.tif 000004
【図３】
2018038774.tif 000005
【図４】
2018038774.tif 000006
【図５】
2018038774.tif 000007